(57)【特許請求の範囲】
【請求項１】
適宜の物体に掛止される掛止体に取付けられ、被吊物が吊下げられる吊具本体を備える吊具において、
前記掛止体及び吊具本体を上下方向への相対移動を自在に連結する連結体と、前記掛止体に係合して前記相対移動を阻止する可動の阻止体とを備え、
前記連結体は杆状をなし、一端部が横方向への移動及び回動を自在に前記吊具本体に保持されており、他端部が相対回転自在に前記掛止体に連結されていることを特徴とする吊具。
【請求項２】
前記吊具本体は、横方向に長い長孔を有し、該長孔に嵌入されている凸部を前記連結体に設けてある請求項１に記載の吊具。
【請求項３】
適宜の物体に掛止される掛止体に取付けられ、被吊物が吊下げられる吊具本体を備える吊具において、
前記掛止体及び吊具本体を上下方向への相対移動を自在に連結する連結体と、前記掛止体に係合して前記相対移動を阻止する可動の阻止体とを備え、
前記吊具本体は、横方向に長い長孔を有し、該長孔に嵌入されている凸部を前記連結体に設けてあることを特徴とする吊具。
【請求項４】
前記長孔は、一端が他端よりも上の位置にある請求項２又は３に記載の吊具。
【請求項５】
適宜の物体に掛止される掛止体に取付けられ、被吊物が吊下げられる吊具本体を備える吊具において、
前記掛止体及び吊具本体を上下方向への相対移動を自在に連結する連結体と、前記掛止体に係合して前記相対移動を阻止する可動の阻止体とを備え、
前記連結体は杆状をなし、一端部が回動自在に前記吊具本体に保持されており、長手方向中央部が曲直自在になしてあり、他端部が相対回転自在に前記掛止体に連結されていることを特徴とする吊具。
【請求項６】
適宜の物体に掛止される掛止体に取付けられ、被吊物が吊下げられる枠体を備える吊具において、
前記枠体は、該枠体の略半体部位を連結し、横方向に長い長孔が開設されている杆状の連結部材を有し、前記長孔に沿って横方向への移動及び回動を自在にその一端部が前記長孔に嵌入され、他端部が前記掛止体に枢支されて前記掛止体及び枠体を上下方向への相対移動を自在に連結する連結体と、前記連結部材に枢支され、前記掛止体に係合して前記相対移動を阻止する阻止体とを備えることを特徴とする吊具。
【請求項７】
二つの半枠部材が二つの連結部にて屈曲可能に連結され、横姿勢で被吊物が吊下げられる枠体を備え、該枠体が、適宜の物体に掛止される掛止体に吊下げられている吊具において、
前記枠体は、その両端が前記二つの連結部に結合され、両端側から中央部に亘って横方向に長い二つの長孔が開設されている杆状の連結部材を有し、前記掛止体は下部に被係止部を有し、前記二つの長孔に沿って横方向への移動及び回動を自在にその一端部が前記長孔に各別に嵌入され、他端部が前記掛止体に各別に枢支されて前記掛止体及び枠体を上下方向への相対移動を自在に連結する二つの連結体と、前記連結部材の中央部に枢支され、前記被係止部に係合して前記相対移動を阻止する二つのレバー及び該レバーを前記被係止部と係合する方向へ付勢する付勢ばねとを備えることを特徴とする吊具。
【発明の詳細な説明】
【技術分野】
【０００１】
本発明は洗濯物等の被吊物を竿体等の適宜の物体に掛止して吊すための吊具に関する。
【背景技術】
【０００２】
洗濯物等を吊すための吊具は、洗濯物等が吊下げられる吊具本体と、一部を開放してあるフック部を有し、前記吊具本体の中央部に回転自在に取着されて竿体に掛止する掛止体とを備え、該掛止体のフック部を竿体に掛止し、吊具本体に吊されている洗濯物等を干すことができるように構成されている（例えば、特許文献１。）
【先行技術文献】
【特許文献】
【０００３】
【特許文献１】実開平７−３９７９６号公報
【発明の概要】
【発明が解決しようとする課題】
【０００４】
ところで、吊具が掛止される竿体は、地面に対して比較的高い位置に架設され、洗濯物等の被吊物が地面、ベランダの手摺り等に触れないように干すことができるようになっている。
【０００５】
ところが、特許文献１に記載されている吊具のように、吊具本体に掛止体が装着されている従来の吊具にあっては、掛止体の吊具本体に対する上下位置が不変であるため、掛止体のフック部から吊具本体までの上下長さが比較的短い吊具にあっては、掛止体のフック部が竿体に掛止されたとき、地面に対する吊具本体の位置が比較的高くなる。従って、被吊物を比較的高い位置に吊すことができる反面、被吊物を吊具本体に吊下げる際の吊下げ作業が行い難いという問題がある。また、掛止体のフック部から吊具本体までの上下長さが比較的長い吊具にあっては、掛止体のフック部が竿体に掛止されたとき、地面に対して吊具本体の位置が比較的低くなる。従って、被吊物を吊具本体に楽に吊下げることができる反面、被吊物を地面に対して高い位置に吊すことができず、被吊物が地面、ベランダの手摺り等に触れ易くなるという問題があった。
【０００６】
本発明は斯かる事情に鑑みてなされたものであり、主たる目的は掛止体及び吊具本体を上下方向への相対移動を自在に連結する連結体と、前記相対移動を阻止する可動の阻止体とを備えることにより、吊具本体の地面に対する位置を高位置／低位置に調整することができる吊具を提供することにある。
【０００７】
また、他の目的は、横方向への移動及び回動を自在にその一端部が吊具本体に保持されている杆状をなす連結体とし、該連結体の他端部を相対回転自在に掛止体に連結することにより、吊具の嵩を比較的低くすることができ、比較的コンパクトに収納することができる吊具を提供することにある。
【０００８】
また、他の目的は、横方向に長い長孔を吊具本体に設け、該長孔に嵌入されている凸部を連結体に設けることにより、連結体に邪魔されることなく被吊物を吊具本体に吊下げたり、吊具本体から取外したりすることができる吊具を提供することにある。
【０００９】
また、他の目的は、前記長孔の一端を他端よりも上の位置に配することにより、連結体の凸部を長孔内で円滑に摺動させることができ、掛止体及び吊具本体を簡易に相対移動させることができる吊具を提供することにある。
【００１０】
また、他の目的は、その一端部が回動自在に吊具本体に保持されており、その長手方向中央部が曲直自在な杆状をなす連結体とし、該連結体の他端部を相対回転自在に掛止体に連結することにより、吊具の嵩を比較的低くすることができ、比較的コンパクトに収納することができる吊具を提供することにある。
【００１１】
また、他の目的は、枠体の略半体部位を連結し、横方向に長い長孔が開設されている杆状の連結部材を設け、前記長孔に沿って横方向への移動及び回動を自在にその一端部が前記長孔に嵌入され、他端部が前記掛止体に枢支されて前記掛止体及び枠体を上下方向への相対移動を自在に連結する連結体と、前記連結部材に枢支され、前記掛止体に係合して前記相対移動を阻止する阻止体とを設けることにより、枠体の地面に対する位置を高位置／低位置に調整することができる吊具を提供することにある。
【００１２】
また、他の目的は、二つの半枠部材が二つの連結部にて屈曲可能に連結されている枠体に、その両端側から中央部に亘って横方向に長い二つの長孔が開設されている杆状の連結部材を設け、前記長孔に沿って横方向への移動及び回動を自在にその一端部が前記長孔に各別に嵌入され、他端部が前記掛止体に各別に枢支されて前記掛止体及び枠体を上下方向への相対移動を自在に連結する二つの連結体と、前記相対移動を阻止する二つのレバー及び付勢ばねを設けることにより、枠体の地面に対する位置を高位置／低位置に簡易に調整することができる吊具を提供することにある。
【課題を解決するための手段】
【００１３】
本発明に係る吊具は、適宜の物体に掛止される掛止体に取付けられ、被吊物が吊下げられる吊具本体を備える吊具において、前記掛止体及び吊具本体を上下方向への相対移動を自在に連結する連結体と、前記掛止体に係合して前記相対移動を阻止する可動の阻止体とを備え、前記連結体は杆状をなし、一端部が横方向への移動及び回動を自在に前記吊具本体に保持されており、他端部が相対回転自在に前記掛止体に連結されていることを特徴とする。
【００１４】
この発明にあっては、掛止体及び吊具本体の相対移動が阻止体にて阻止されていない状態では、相対移動によって掛止体と吊具本体との間の距離を長くすることができ、地面に対して低い位置で被吊物を吊具本体に吊下げたり、吊具本体から取外したりすことができるため、被吊物を楽に吊下げることができるとともに、楽に取外すことができる。また、掛止体及び吊具本体の相対移動を阻止体にて阻止することができるため、掛止体と吊具本体との間の距離を短くすることができ、吊具本体に吊下げられた被吊物を地面に対して高い位置で干すことができる。
【００１５】
この発明にあっては、相対移動によって掛止体と吊具本体との間の距離が長くなるとき、連結体が上下に長くなり、相対移動によって掛止体と吊具本体との間の距離が短くなるとき、連結体が横方向に長くなるため、吊具の嵩を比較的低くすることができ、比較的コンパクトに収納することができる。
【００１６】
また、本発明に係る吊具は、前記吊具本体は、横方向に長い長孔を有し、該長孔に嵌入されている凸部を前記連結体に設けてある構成とするのが好ましい。
また、本発明に係る吊具は、適宜の物体に掛止される掛止体に取付けられ、被吊物が吊下げられる吊具本体を備える吊具において、前記掛止体及び吊具本体を上下方向への相対移動を自在に連結する連結体と、前記掛止体に係合して前記相対移動を阻止する可動の阻止体とを備え、前記吊具本体は、横方向に長い長孔を有し、該長孔に嵌入されている凸部を前記連結体に設けてあることを特徴とする。
この発明にあっては、相対移動によって掛止体と吊具本体との間の距離が短くなるとき、連結体が吊具本体に沿って横方向に長くなるため、連結体に邪魔されることなく被吊物を吊具本体に吊下げたり、吊具本体から取外したりすることができ、被吊物を楽に吊下げることができるとともに、楽に取外すことができる。
【００１７】
また、本発明に係る吊具は、前記長孔は、一端が他端よりも上の位置にある構成とするのが好ましい。
この発明にあっては、掛止体と吊具本体との間の距離が長い状態から掛止体と吊具本体との間の距離が短くなる方向へ力が加えられることにより、連結体の凸部を長孔内で円滑に摺動させることができ、掛止体及び吊具本体を簡易に相対移動させることができる。
【００１８】
また、本発明に係る吊具は、適宜の物体に掛止される掛止体に取付けられ、被吊物が吊下げられる吊具本体を備える吊具において、前記掛止体及び吊具本体を上下方向への相対移動を自在に連結する連結体と、前記掛止体に係合して前記相対移動を阻止する可動の阻止体とを備え、前記連結体は杆状をなし、一端部が回動自在に前記吊具本体に保持されており、長手方向中央部が曲直自在になしてあり、他端部が相対回転自在に前記掛止体に連結されていることを特徴とする。
【００１９】
この発明にあっては、相対移動によって掛止体と吊具本体との間の距離が長くなるとき、連結体が伸直して上下に長くなり、相対移動によって掛止体と吊具本体との間の距離が短くなるとき、連結体が屈曲して上下に短くなるため、吊具の嵩を比較的低くすることができ、比較的コンパクトに収納することができる。
【００２０】
また、本発明に係る吊具は、適宜の物体に掛止される掛止体に取付けられ、被吊物が吊下げられる枠体を備える吊具において、前記枠体は、該枠体の略半体部位を連結し、横方向に長い長孔が開設されている杆状の連結部材を有し、前記長孔に沿って横方向への移動及び回動を自在にその一端部が前記長孔に嵌入され、他端部が前記掛止体に枢支されて前記掛止体及び枠体を上下方向への相対移動を自在に連結する連結体と、前記連結部材に枢支され、前記掛止体に係合して前記相対移動を阻止する阻止体とを備えることを特徴とする。
【００２１】
この発明にあっては、掛止体及び枠体の相対移動が阻止体にて阻止されていない状態では、相対移動によって掛止体と枠体との間の距離を長くすることができ、地面に対して低い位置で被吊物を枠体に吊下げたり、枠体から取外したりすることができるため、被吊物を楽に吊下げることができるとともに、楽に取外すことができる。また、掛止体及び枠体の相対移動を阻止体にて阻止することにより、掛止体と枠体との間の距離を短くすることができ、枠体に吊下げられた被吊物を地面に対して高い位置で干すことができる。
【００２２】
また、本発明に係る吊具は、二つの半枠部材が二つの連結部にて屈曲可能に連結され、横姿勢で被吊物が吊下げられる枠体を備え、該枠体が、適宜の物体に掛止される掛止体に吊下げられている吊具において、前記枠体は、その両端が前記二つの連結部に結合され、両端側から中央部に亘って横方向に長い二つの長孔が開設されている杆状の連結部材を有し、前記掛止体は下部に被係止部を有し、前記二つの長孔に沿って横方向への移動及び回動を自在にその一端部が前記長孔に各別に嵌入され、他端部が前記掛止体に各別に枢支されて前記掛止体及び枠体を上下方向への相対移動を自在に連結する二つの連結体と、前記連結部材の中央部に枢支され、前記被係止部に係合して前記相対移動を阻止する二つのレバー及び該レバーを前記被係止部と係合する方向へ付勢する付勢ばねとを備えることを特徴とする。
【００２３】
この発明にあっては、掛止体及び枠体の相対移動がレバーにて阻止されていない状態では、相対移動によって掛止体と枠体との間の距離を長くすることができ、地面に対して低い位置で被吊物を枠体に吊下げたり、枠体から取外したりすることができるため、被吊物を楽に吊下げることができるとともに、楽に取外すことができる。また、掛止体及び枠体の相対移動をレバーにて阻止することにより、掛止体と枠体との間の距離を短くすることができ、枠体に吊下げられた被吊物を地面に対して高い位置で干すことができるとともに、被吊物が風で揺れた場合でも付勢ばねにて短い前記距離を維持することができる。
【発明の効果】
【００２４】
本発明によれば、掛止体及び吊具本体を上下に相対移動させることができるため、地面に対して低い位置で被吊物を吊具本体に吊下げたり、吊具本体から取外したりすことができるとともに、吊具本体に吊下げられた被吊物を地面に対して高い位置で干すことができる。
【００２５】
また、本発明によれば、吊具の嵩を比較的低くすることができ、比較的コンパクトに収納することができる。
【００２６】
また、本発明によれば、連結体に邪魔されることなく被吊物を吊具本体に吊下げたり、吊具本体から取外したりすることができ、被吊物を楽に吊下げることができるとともに、楽に取外すことができる。
【００２７】
また、本発明によれば、連結体の凸部を長孔内で円滑に摺動させることができ、掛止体及び吊具本体を簡易に相対移動させることができる。
【００２８】
また、本発明によれば、枠体の中央部に設けられたレバーを操作することにより、前記相対移動を阻止／解除することができるため、地面に対する位置調整を簡易にできる。
【図面の簡単な説明】
【００２９】
【図１】本発明の実施の形態１に係る吊具の構成を示す一部を縦断した正面図である。
【図２】本発明の実施の形態１に係る吊具の構成を示す正面図である。
【図３】本発明の実施の形態１に係る吊具の構成を示す平面図である。
【図４】本発明の実施の形態１に係る吊具の構成を示す側面図である。
【図５】掛止体及び吊具本体が上下に相対移動した状態を示す一部を縦断した正面図である。
【図６】本発明の実施の形態４に係る吊具の構成（掛止体及び吊具本体の相対移動前）を示す斜視図である。
【図７】吊具の構成（相対移動後）を示す斜視図である。
【発明を実施するための形態】
【００３０】
以下、本発明をその実施の形態を示す図面に基づいて詳述する。図１は吊具の構成を示す一部を縦断した正面図、図２は吊具の構成を示す正面図、図３は吊具の構成を示す平面図、図４は吊具の構成を示す側面図、図５は掛止体及び吊具本体が上下に相対移動した状態を示す一部を縦断した正面図である。
【００３１】
実施の形態１
吊具は、平面視略矩形をなす枠体１１及び該枠体１１のほぼ半体部位を連結する湾曲杆状の連結部材１２を有する吊具本体１と、連結部材１２に横方向への移動及び上下方向への回動を自在にその一端部が保持された杆状の二つの連結体２，２と、該連結体２，２の他端部に相対回転自在に取付けられ、吊具本体１に対して上下方向への移動が自在の掛止体３と、連結部材１２の中央部に枢支され、掛止体３に係合して該掛止体３の移動を阻止する阻止体４とを備える。
【００３２】
吊具本体１は、平面視略コ字形をなす二つの半枠部材１１ａ，１１ａの開放端が連結部１１ｂ，１１ｂにて角回転可能に連結されている枠体１１と、枠体１１の連結部１１ｂ，１１ｂ間に亘って架設され、上向きに湾曲する杆状の連結部材１２と、枠体１１の中央側に架設された桟部材１３とを有し、枠体１１の中央部が掛止体３側（上側）へ約９０°屈曲可能に構成されている。また、枠体１１には洗濯物等の被吊物を吊下げる複数の挾持部材（図示せず）が吊設される。
【００３３】
連結部材１２は、中央部の幅方向両側から下側へ突出し、前後に貫通する軸孔１２ｂ，１２ｂを有する二つの突部１２ａ，１２ａと、中央側から両端部に亘って横方向に長く、上面の幅方向中央部が窪む二つの凹条部１２ｃ，１２ｃと、該凹条部１２ｃ，１２ｃから両側方へ貫通し、横方向に長い二つの長孔１２ｄ，１２ｄとを有する。突部１２ａ，１２ａの軸孔１２ｂ，１２ｂには枢軸１４が嵌入され、該枢軸１４に阻止体４が枢支されている。
【００３４】
連結体２，２は、角柱形をなす杆部材からなり、一端部から幅方向両側へ突出し、長孔１２ｄ，１２ｄに嵌入される凸部２１を有し、連結部材１２と上下に接離する方向への回動が自在になっており、他端部に幅方向に貫通する軸孔１２ｂが開設されている。
【００３５】
掛止体３は、上部にフック部３１を有し、下部に二つの被係止部３２，３２及び軸孔３３を有し、上下に長い柱形をなしている。フック部３１の基部には、該フック部３１の開放側を開閉する開閉部材３４が枢支されている。開閉部材３４は捩じりばねにて閉方向へ付勢されている。被係止部３２，３２は、掛止体３の下端から横方向へ突出する二つの凸部に形成されている。軸孔３３は、被係止部３２，３２よりも上側から横方向へ突出する二つの突片３５，３５に開設され、軸孔３３，３３及び連結体２，２の軸孔１２ｂ，１２ｂに嵌入される枢軸３６，３６により、連結体２，２の上端部が回動可能に結合されている。
【００３６】
阻止体４は、上下に長い二つのレバー４１，４１からなり、中間部が接離方向への回動を自在に枢軸１４に枢支されている。レバー４１，４１の上端部には、被係止部３２，３２に係合して掛止体３の上下方向への移動を阻止する爪状の二つの係止部４２，４２が設けられており、また、レバー４１，４１を被係止部３２，３２方向へ付勢する付勢ばね４３が枢軸１４に巻回されている。
【００３７】
以上のように構成された吊具は、吊具本体１における連結部材１２の二つの凹条部１２ｃ，１２ｃに二つの連結体２，２が収容され、連結体２，２は横方向へ倒伏し、該連結体２，２の上端部に結合されている掛止体３は下側位置へ移動し、該掛止体３の被係止部３２，３２にレバー４１，４１の係止部４２，４２が係合し、掛止体３及び吊具本体１の上下方向への相対移動が阻止体４により阻止されている。
【００３８】
吊具が竿体等に掛止される場合、掛止体３における開閉部材３４の下端部を摘み、開閉部材３４を回動させることにより、フック部３１が開放され、該フック部３１を竿体等に掛止することができる。この際、掛止体３及び吊具本体１の上下方向への相対移動が阻止体４により阻止されているため、吊具本体１は地面に対して高い位置にある。
【００３９】
吊具本体１の枠体１１に吊設された挾持部材にて洗濯物等の被吊物を吊下げる場合、阻止体４における二つのレバー４１，４１の下端部を摘み、レバー４１，４１を回動させることにより、係止部４２，４２の被係止部３２，３２との係合が離脱し、阻止体４による掛止体３及び吊具本体１の相対移動阻止が解除され、吊具本体１が自重で下方へ移動しつつ凸部２１，２１の長孔１２ｄ，１２ｄとの係合位置が長孔１２ｄ，１２ｄの長手方向へずれ、連結体２，２が凸部２１，２１を中心として上方へ回動し、凸部２１，２１が長孔１２ｄ，１２ｄの端部に至ったとき、吊具本体１の移動が阻止され、吊具本体１は地面に対して低い位置に停止する。従って、地面に対して低い位置で洗濯物等の被吊物を楽に吊下げることができる。
【００４０】
洗濯物等の被吊物を吊下げた後、阻止体４における二つのレバー４１，４１の下端部を摘んで吊具本体１を上方へ移動させることにより、凸部２１，２１の長孔１２ｄ，１２ｄとの係合位置が長孔１２ｄ，１２ｄの長手方向へずれ、連結体２，２が凸部２１，２１を中心として下方へ回動し、凸部２１，２１が長孔１２ｄ，１２ｄの端部に至ったとき、阻止体４の係止部４２，４２が掛止体３の被係止部３２，３２に係合し、吊具本体１の上方への移動が阻止体４により阻止され、吊具本体１は地面に対して高い位置に停止する。従って、吊具本体１に吊下げられた洗濯物等の被吊物を地面に対して高い位置で干すことができる。
【００４１】
洗濯物等の被吊物を取外す場合、阻止体４における二つのレバー４１，４１の下端部を摘むことにより、上述したように係止部４２，４２の被係止部３２，３２との係合が離脱し、阻止体４による掛止体３及び吊具本体１の相対移動阻止が解除され、吊具本体１が自重及び被吊物の荷重で下方へ移動し、吊具本体１の移動が連結体２，２にて阻止され、吊具本体１は地面に対して低い位置に停止するため、地面に対して低い位置で洗濯物等の被吊物を楽に取外すことができる。
【００４２】
実施の形態２
この実施の形態では、掛止体３及び吊具本体１を上下方向へ相対移動可能に連結する連結体２，２として回動が可能な杆部材を用いる代わりに、上下に長く、掛止体３の下端に一体に連なる一つの杆部材を用いてある。連結部材１２の中央部には、上下に貫通する貫通孔が開設され、該貫通孔に前記杆部材が上下移動自在に挿入され、該杆部材の下端部に、上方への移動を規制するストッパ又は阻止体４にて係止される第２の被係止部を設けてある。掛止体３の下端部には被係止部３２，３２が設けられている。また、阻止体４のレバー４１，４１は、前記貫通孔の径方向両側に枢支される。
【００４３】
この構成にあっては、掛止体３の被係止部３２，３２にレバー４１，４１の係止部４２，４２が係合することにより、杆部材が貫通孔内で下方へ移動した状態で掛止体３及び吊具本体１の相対移動が阻止され、地面に対する位置が高位置となる。レバー４１，４１による相対移動の阻止が解除されることにより、前記杆部材が前記貫通孔内で上方へ移動し、杆部材下端部の第２の被係止部にレバー４１，４１の係止部４２，４２が係合するか、又は杆部材下端部のストッパが前記貫通孔の下側縁に当接し、杆部材の移動が阻止され、地面に対する位置が低位置となる。
その他の構成及び作用は実施の形態１と同様であるため、同様の部品については同じ符号を付し、その詳細な説明及び作用の説明を省略する。
【００４４】
実施の形態３
この実施の形態では、掛止体３及び吊具本体１を上下方向へ相対移動可能に連結する連結体２，２として回動が可能な杆部材、又は掛止体３と一体の杆部材を用いる代わりに、その一端が連結部材１２の中間に取付けられる索状の可撓条体を用いてある。可撓条体の他端は掛止体３の下端部に結合されている。
【００４５】
この構成にあっては、掛止体３の被係止部３２，３２にレバー４１，４１の係止部４２，４２が係合することにより、掛止体３及び吊具本体１の相対移動が阻止され、前記可撓条体は中間部が横方向へ湾曲し、地面に対する位置が高位置となる。レバー４１，４１による相対移動の阻止が解除されることにより、掛止体３及び吊具本体１を上下方向へ相対移動させることができ、相対移動に伴って可撓条体が伸長し、可撓条体の伸長により前記相対移動が阻止され、地面に対する位置が低位置となる。
その他の構成及び作用は実施の形態１と同様であるため、同様の部品については同じ符号を付し、その詳細な説明及び作用の説明を省略する。
【００４６】
実施の形態４
図６及び図７は、本発明の実施の形態４に係る吊具の構成を示す斜視図である。図６は、実施の形態１の図１〜図４と同様に、掛止体３及び吊具本体１が上下に相対移動する前の状態を示し、図７は、実施の形態１の図５と同様に、掛止体３及び吊具本体１が上下に相対移動した後の状態を示している。
以下では、図６及び図７夫々において矢符で示す上下、左右、及び前後を、実施の形態４に係る吊具の上下、左右、及び前後として説明する。実施の形態１における上下方向及び横方向は、実施の形態４における上下方向及び左右方向に相当する。
【００４７】
本実施の形態における吊具は、実施の形態１の吊具と略同様の構成である。具体的には、実施の形態１，２の掛止体３及び阻止体４は同一の構成であるが、実施の形態１，２の吊具本体１は細部が異なる。また、本実施の形態における吊具は、実施の形態１の連結体２，２に替えて、連結体５，５を備えている。このため、以下では、実施の形態１，２の差異について説明し、その他、実施の形態１に対応する部分には同一符号を付してそれらの説明を省略する。
【００４８】
吊具本体１は、実施の形態１と同様の枠体１１及び桟部材１３，１３と、実施の形態１と細部が異なる連結部材１２と、実施の形態１には存在しない補強部１４，１４とを有する。補強部１４は、桟部材１３と半枠部材１１ａとによって囲繞された平面視矩形状の空間を貫いて、桟部材１３と半枠部材１１ａを構成する３辺部とを連結している。なお、不図示の挾持部材は、枠体１１のみならず、桟部材１３，１３及び／又は補強部１４，１４に吊設されていてもよい。
【００４９】
連結部材１２は、掛止体３及び阻止体４を上下方向に結ぶ仮想線に対して左右対称形状をなしている。
連結部材１２は、実施の形態１と同様に、突部１２ａ，１２ａ及び軸孔１２ｂ，１２ｂを有する。
また、連結部材１２は、実施の形態１の二つの凹条部１２ｃ，１２ｃに替えて、二つの凹条部１２ｅ，１２ｅを有する。凹条部１２ｅ，１２ｅは、連結部材１２の中央側から両端部に亘って左右方向に長く、連結部材１２の上面の幅方向中央部が窪んでなる。
【００５０】
更に、連結部材１２は、実施の形態１の４つの長孔１２ｄ，１２ｄ，…に替えて、各円形状の４つの貫通孔１２ｆ，１２ｆ，…を有する。貫通孔１２ｆ，１２ｆ，…は、凹条部１２ｅ，１２ｅに対して二つずつ配されている。二つの貫通孔１２ｆ，１２ｆは、凹条部１２ｅの幅方向両側の壁部を前後方向に貫通している。貫通孔１２ｆ，１２ｆは、凹条部１２ｅの左右方向両端部の内、連結部材１２の左右方向中央側の端部に位置している。
【００５１】
連結体５，５は、掛止体３及び阻止体４を結ぶ仮想線に対して左右対称に配されている。
各連結体５は杆状をなしている。連結体５の長手方向中央部は曲直自在になしてある。連結体５の一端部（図７における下端部）は、回動自在に吊具本体１に保持されている。連結体５の他端部（図７における上端部）は、相対回転自在に掛止体３に連結されている。
具体的には、連結体５は、第１の杆部材５１及び第２の杆部材５２を用いてなる。
【００５２】
第１の杆部材５１の一端部から前後方向両側へは、円柱状の凸部５１１が突出している。凸部５１１は、貫通孔１２ｆ，１２ｆに嵌入してある。凸部５１１は、貫通孔１２ｆ，１２ｆの内部で自在に回動する。つまり、第１の杆部材５１の一端部は、回動自在に連結部材１２（延いては吊具本体１）に保持されている。凸部５１１が貫通孔１２ｆ，１２ｆの内部で回動することにより、第１の杆部材５１は、連結部材１２に対して上下に接離する方向へ揺動する。
【００５３】
第１の杆部材５１の他端部及び第２の杆部材５２の一端部夫々には、前後方向に貫通する貫通孔が形成されている。第１の杆部材５１の他端部と第２の杆部材５２の一端部とは、夫々に形成されている貫通孔及びこの貫通孔に嵌入される枢軸によって、相対的に回動可能に連結されている。この結果、連結体５の長手方向中央部は、曲直自在となっている。
第２の杆部材５２の他端部と掛止体３との連結構造は、実施の形態１の連結体２の上端部と掛止体３との連結構造と同様の構成を有する。
第１の杆部材５１の一端部は連結体５の一端部として機能し、第２の杆部材５２の他端部は連結体５の他端部として機能する。
【００５４】
以上のように構成された連結体５，５は、菱形パンタグラフのように、上下方向に伸縮する。
ここで、連結体５，５が収縮する場合について説明する。
各連結体５においては、第１の杆部材５１の一端部が、第１の杆部材５１の他端部が連結部材１２に接近する方向に回転する。このとき、第１の杆部材５１の他端部と第２の杆部材５２の一端部との連結部分が、下方且つ連結部材１２の左右方向端部側へ移動しつつ屈曲する。また、第２の杆部材５２の他端部が、下方へ移動しつつ掛止体３に対して相対回転する。この結果、連結体５は、第１の杆部材５１と第２の杆部材５２とが互いに接触する状態で左右方向へ倒伏し、凹条部１２ｅに収容される。
【００５５】
このとき、連結体５，５夫々の他端部に結合されている掛止体３は下側位置へ移動し、該掛止体３の被係止部３２，３２にレバー４１，４１の係止部４２，４２が係合し（図１及び図２参照）、掛止体３及び吊具本体１の上下方向への相対移動が阻止体４により阻止される。
吊具が竿体等に掛止される場合、掛止体３における開閉部材３４の下端部を摘み、開閉部材３４を回動させることにより、フック部３１が開放され、該フック部３１を竿体等に掛止することができる。この際、掛止体３及び吊具本体１の上下方向への相対移動が阻止体４により阻止されているため、吊具本体１は地面に対して高い位置にある。
【００５６】
吊具本体１の枠体１１に吊設された挾持部材にて洗濯物等の被吊物を吊下げる場合、阻止体４における二つのレバー４１，４１の下端部を摘み、レバー４１，４１を回動させることにより、係止部４２，４２の被係止部３２，３２との係合が離脱し（図５参照）、阻止体４による掛止体３及び吊具本体１の相対移動阻止が解除され、吊具本体１が自重で下方へ移動する。このとき、連結体５，５が伸長する。
【００５７】
ここで、連結体５，５が伸長する場合について説明する。
各連結体５においては、第１の杆部材５１の一端部が、第１の杆部材５１の他端部が連結部材１２から離隔する方向に回転する。このとき、第１の杆部材５１の他端部と第２の杆部材５２の一端部との連結部分が、上方且つ連結部材１２の左右方向中央部側へ移動しつつ伸直する。また、第２の杆部材５２の他端部が、上方へ移動しつつ掛止体３に対して相対回転する。この結果、連結体５は、凹条部１２ｅから立ち上がる。
【００５８】
各連結体５の第１の杆部材５１及び第２の杆部材５２が縦姿勢で上下に並んだとき、吊具本体１の移動は阻止され、吊具本体１は地面に対して低い位置に停止する。従って、地面に対して低い位置で洗濯物等の被吊物を楽に吊下げることができる。
【００５９】
洗濯物等の被吊物を吊下げた後、阻止体４における二つのレバー４１，４１の下端部を摘んで吊具本体１を上方へ移動させることにより、連結体５，５が収縮する。そして、連結体５，５が凹条部１２ｅ，１２ｅに収容されたとき、阻止体４の係止部４２，４２が掛止体３の被係止部３２，３２に係合し、吊具本体１の上方への移動が阻止体４により阻止され、吊具本体１は地面に対して高い位置に停止する。従って、吊具本体１に吊下げられた洗濯物等の被吊物を地面に対して高い位置で干すことができる。
【００６０】
洗濯物等の被吊物を取外す場合、阻止体４における二つのレバー４１，４１の下端部を摘むことにより、上述したように係止部４２，４２の被係止部３２，３２との係合が離脱し、阻止体４による掛止体３及び吊具本体１の相対移動阻止が解除され、吊具本体１が自重及び被吊物の荷重で下方へ移動し、地面に対して低い位置に停止する。このため、地面に対して低い位置で洗濯物等の被吊物を楽に取外すことができる。
【００６１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、吊具に、実施の形態１〜４に開示されていない構成要素が含まれていてもよい。
【符号の説明】
【００６２】
１      吊具本体
１１    枠体
１１ａ  半枠部材
１２    連結部材
１２ｄ  長孔
２，５  連結体
２１    凸部
３      掛止体
３２    被係止部
４      阻止体
４１    レバー
４３    付勢ばね
【図１】
0005946379.tif 000002
【図２】
0005946379.tif 000003
【図３】
0005946379.tif 000004
【図４】
0005946379.tif 000005
【図５】
0005946379.tif 000006
【図６】
0005946379.tif 000007
【図７】
0005946379.tif 000008